(57)【要約】【課題】一般的なタイプのインタークーラのための改善されたまたは少なくとも代替的な実施形態を明示する。【解決手段】本発明は、空気流出槽（６）と、特にインタークーラ（１）において分離された凝縮液（８）および／または水蒸気を捕集するための少なくとも１つの凝縮液捕集器（７）とを備えたインタークーラ（１）に関する。ここで、本発明の本質的事項は、凝縮液捕集器（７）が給気流れ（９）に接触可能なインタークーラ（１）の領域に設けられ、少なくとも１つの凝縮液捕集器（７）に乾燥剤（１０）が設けられ、当該乾燥剤（１０）が凝縮液（８）および／または水蒸気を吸収し、貯留して給気流れ（９）に再び放出できるように構成されていることである。【選択図】図１
2016217356.tif 000002
【特許請求の範囲】
【請求項１】
空気流出槽（６）と、インタークーラ（１）において分離された凝縮液（８）および／または水蒸気を捕集するための少なくとも１つの凝縮液捕集器（７）とを備えたインタークーラ（１）であって、
上記凝縮液捕集器（７）は、給気流れ（９）に接触可能な上記インタークーラ（１）の領域に配置され、
少なくとも１つの上記凝縮液捕集器（７）に、乾燥剤（１０）が設けられ、
上記乾燥剤（１０）は、凝縮液（８）および／または水蒸気を吸収し、貯留して上記給気流れ（９）に再び放出できるように構成されている
ことを特徴とするインタークーラ。
【請求項２】
請求項１において、
少なくとも１つの上記凝縮液捕集器（７）が、上記空気流出槽（６）に取り付けられ、
および／または、
少なくとも１つの上記凝縮液捕集器（７）が、空気流入槽（５）に取り付けられている
ことを特徴とするインタークーラ。
【請求項３】
請求項２において、
少なくとも１つの上記凝縮液捕集器（７）が、上記空気流出槽（６）に溶接され、ロウ付けされ、接着され、ねじ止めされ、またはクリップ留めされ、
および／または、
少なくとも１つの上記凝縮液捕集器（７）が、上記空気流入槽（５）に溶接され、ロウ付けされ、接着され、ねじ止めされ、またはクリップ留めされている
ことを特徴とするインタークーラ。
【請求項４】
請求項１において、
上記凝縮液捕集器（７）が、上記空気流出槽（６）の一体的な構成部分を形成し、
または、
上記凝縮液捕集器（７）が、空気流入槽（５）の一体的な構成部分を形成している
ことを特徴とするインタークーラ。
【請求項５】
請求項２〜４のいずれか１項において、
少なくとも１つの上記凝縮液捕集器（７）は、給気流れ（９）の少なくとも一部が該凝縮液捕集器（７）を流れおよび／または通り抜けるように設けられている
ことを特徴とするインタークーラ。
【請求項６】
請求項２〜５のいずれか１項において、
上記空気流入槽（５）および／または上記空気流出槽（６）に、該空気流入槽（５）および／または該空気流出槽（６）と一体的に形成されたクリップ要素（１１）が配置され、
上記クリップ要素（１１）を介して、少なくとも１つの上記凝縮液捕集器（７）が上記空気流入槽（５）または上記空気流出槽（６）に固定されている
ことを特徴とするインタークーラ。
【請求項７】
請求項２〜６のいずれか１項において、
上記乾燥剤（１０）が、モレキュラーシーブ、および／または、ベントナイトおよび／またはシリカゲルを含む粒状体を有している
ことを特徴とするインタークーラ。
【請求項８】
請求項２〜７のいずれか１項において、
上記空気流出槽（６）が、ノズルとして構成され、
および／または、
上記空気流入槽（５）が、ディフューザとして構成されている
ことを特徴とするインタークーラ。
【請求項９】
請求項１〜８のいずれか１項において、
少なくとも上記空気流出槽（６）および／または上記凝縮液捕集器（７）が、鋳造部品もしくは金属鋳造部品として、またはプラスチック射出成形部品として構成されている
ことを特徴とするインタークーラ。
【請求項１０】
請求項１〜９のいずれか１項において、
上記乾燥剤（１０）を再生させるための電気加熱装置（１２）が設けられ、
および／または、
上記乾燥剤（１０）を少なくとも１つの冷媒ダクト（１３）が通って延び、該冷媒ダクト（１３）を通って高温の冷媒が上記乾燥剤（１０）を再生させるために流れ、
および／または、
上記凝縮液捕集器（７）にバイパス管（１４）が通じ、該バイパス管（１４）を通って上記乾燥剤（１０）に暖かい給気が吹き込み得るように構成されている
ことを特徴とするインタークーラ。
【請求項１１】
請求項１〜１０のいずれか１項に記載のインタークーラ（１）を備えた内燃エンジン。
【請求項１２】
請求項１〜１０のいずれか１項に記載のインタークーラ（１）の乾燥剤（１０）を再生させるための方法であって、
上記乾燥剤（１０）を電気加熱装置（１２）で加熱し、
および／または、
上記乾燥剤（１０）を通って延びる少なくとも１つの冷媒ダクト（１３）を通して該乾燥剤（１０）を再生させるための高温の冷媒を案内し、
および／または、
上記凝縮液捕集器（７）までバイパス管（１４）を通して暖かい給気を案内し、該給気を上記乾燥剤（１０）に吹き込ませる
ことを特徴とする方法。
【発明の詳細な説明】
【技術分野】
【０００１】
本発明は、請求項１の前提部に係る、空気流出槽を備えかつ特にインタークーラにおいて分離された凝縮液を捕集するためのまたは水蒸気を捕集するための凝縮液捕集器を備えるインタークーラに関する。さらに、本発明は、このタイプのインタークーラを備える内燃エンジンに関する。
【背景技術】
【０００２】
特許文献１は、空気流入槽および空気流出槽を備えかつインタークーラにおいて分離された凝縮液を捕集するための凝縮液捕集器を備えた一般的なタイプのインタークーラを開示している。さらに、入口を介して凝縮液捕集器に接続されかつ出口を介して吸気マニホールドに接続された凝縮液ラインが設けられている。これにより、差圧に基づいた凝縮液捕集器からの凝縮液の抜き取りがインタークーラの作動中に行われ得、その結果として、特に、従来用いられていたアクチュエータ、フラップ、および／または制御器が省略され得る。
【０００３】
次に、特許文献２は、一般的なタイプのインタークーラを開示しており、当該インタークーラでは、エンジンが起動状態にある場合、スロットル弁によって作り出された勾配に対する反応として、凝縮液ラインが凝縮液捕集器から凝縮液を連続的に抜き取る。
【０００４】
特許文献３は、内燃エンジン、給気圧縮機、低圧排気ガス再循環手段、インタークーラ、および給気ラインを備えた内燃エンジン装置を開示している。ここで、インタークーラは最下点に閉鎖可能な凝縮液放出開口を有しており、当該凝縮液放出開口は凝縮液放出ラインによって給気ラインに接続されている。その結果として、給気ラインへの凝縮液の放出をコントロールすることが可能となっている。
【０００５】
概して、環境条件（温度および相対空気湿度）および現在の動作条件によって、インタークーラにおいて凝縮液が生じ得る。まず好ましくは、低負荷および低ブースト圧においてであり、次に、低圧排気ガス再循環アプリケーションの場合においてである。その結果として、特に外気温度が氷点よりも低い場合に給気冷却動作の障害がまず生じ得、当該氷点では捕集された凝縮液が凍結し得る。その結果として、インタークーラを通る給気の通路が部分的にブロックされる。しかしながら、もっと重要なのは、凍結する際の水の体積膨張であり、それによりインタークーラのパイプの破裂が生じ得る。内燃エンジンは、また、当該内燃エンジンへの捕集された凝縮液の突発的な流入の結果として修復不能な損傷に部分的にさらされ得る。
【０００６】
このため、インタークーラにおける凝縮液の発生を回避するかあるいはインタークーラから凝縮液を放出することが従来技術から知られており、当該目的のために、例えば、アクチュエータによって駆動されるフラップが設けられる。インタークーラ周りのバイパスラインがまた知られている。加えて、給気マニホールドとインタークーラの凝縮液捕集器との間の差圧のために追加的なアクチュエータまたはフラップを設けることなく、定常的に凝縮液を抜き取ることが従来技術から知られている。
【先行技術文献】
【特許文献】
【０００７】
【特許文献１】独国特許出願公開第１０２００９０４２９８１号明細書
【特許文献２】独国特許出願公開第１０２００９０１１６３４号明細書
【特許文献３】独国特許出願公開第１０２００８０４５６８５号明細書
【発明の概要】
【発明が解決しようとする課題】
【０００８】
しかしながら、従来技術から知られている解決策には、例えば関連する制御ロジック手段でアクチュエータによって制御されるフラップを設ける場合のように高価で構造的に複雑であるか、例えばバイパスラインもしくは常に開いていてそれを介して一定の給気流れが常に放出される凝縮液放出開口を設ける場合のようにあまり有効でないか、または、外部凝縮液捕集器において凝縮液が捕集されて相当に低い外気温でそこで凍結して結果として損傷を引き起こし得る場合のように壊れやすい、といった欠点がある。
【０００９】
したがって、本発明は、一般的なタイプのインタークーラのための改善されたまたは少なくとも代替的な実施形態であって、特に従来技術から知られている欠点を克服する実施形態を明示するという問題に関する。
【課題を解決するための手段】
【００１０】
本発明によると、この問題は独立請求項１の主題によって解決される。有利な実施形態は従属請求項の主題である。
【００１１】
本発明は、凝縮液または水蒸気を吸収しまたは貯留する乾燥剤を有する少なくとも１つの凝縮液捕集器をインタークーラに設け、当該凝縮液捕集器をインタークーラ内の給気流れに接触可能な領域に設けるという一般的概念に基づいている。その結果として、例えば低負荷および低ブースト圧において、水蒸気は熱交換器ブロックの上流側で吸収されて貯留され得、かつ給気流れからの凝縮液は当該熱交換器ブロックの下流側の凝縮液捕集器に設けられた乾燥剤により吸収されて貯留され得、そして高負荷および高ブースト圧において給気流れにそれを再び放出し得る。この目的のために、本発明に係るインタークーラは、空気流出槽と、特にインタークーラにおいて分離された凝縮液または水蒸気を捕集するための上述した少なくとも１つの凝縮液捕集器とを備えている。ここで、本発明にしたがって提供される凝縮液捕集器を給気流れにおいて熱交換器ブロックの下流側に設けることが考えられ、この場合、当該凝縮液捕集器は実質的に凝縮液を捕集する。一方、熱交換器ブロックの上流側に凝縮液捕集器を設ける場合、当該凝縮液捕集器は給気流れから水蒸気を除去し得、そのため、さらなる凝縮液は全く生じないかあるいは熱交換器ブロックにおいて分離されない。「凝縮液捕集器」の語は、したがって、水蒸気と液体状の水、すなわち凝縮液との両方を吸収し、貯留して放出するための捕集器を意味するものと理解されたい。インタークーラ内に凝縮液捕集器を設けると同時に給気流れに接触可能な領域に当該凝縮液捕集器を設けることの結果として、インタークーラで生じる凝縮液の吸収と捕集およびインタークーラ内の給気流れへの再放出との両方を実行することが可能となる。この目的のために、例えばフラップ、関連するアクチュエータ、駆動装置および制御ロジック手段のような別個の構成要素は必要とされない。したがって、本発明に係るインタークーラは、構造的によりシンプルであるためにかなり安価に製造され得、また加えて、そのために特別な制御装置を必要とすることなく完全に独立して動作する。放出ラインまたはバイパスラインの省略の結果として、本発明に係るインタークーラは、また、その効率の点において、従来技術から知られているインタークーラと比較して大幅に改善される。従来技術に係るインタークーラでは、凝縮液のための放出開口が存在する場合に、一定の割合の給気流れが当該放出開口を介して常に流出し、燃焼のために供給されないということが回避され得ない。加えて、いくつかの状況において生じる音響破壊的なノイズが、このタイプの放出開口の不在の結果として、この領域において完全に回避され得る。ここで、少なくとも１つの凝縮液捕集器に設けられた乾燥剤は、例えば低ブースト圧および低負荷のようなインタークーラの多くの動作状態において生じる凝縮液または水蒸気を問題なく吸収し、貯留することができる。動作状態が高負荷および高ブースト圧に達すると、空気流れが高温になり、そのために当該空気流れが乾燥剤に貯留された凝縮液または水蒸気を当該乾燥剤から再び放出させ、給気ラインを介してそれを内燃エンジンにおける燃焼のために供給し得る。後者は、凝縮液捕集器が、インタークーラのうち給気流れに接触可能な領域に設けられ、すなわち少なくとも給気流れがインタークーラに沿って流れ、好ましくは少なくとも部分的に当該給気流れによって通り抜けられるという事実により実現される。このことは、給気流れに含まれる凝縮液または水蒸気が乾燥剤に確実に貯留され、そして給気流れによって乾燥剤から再び放出され得るという状況を実現し得る。
【００１２】
本発明に係る解決策のある有利な展開では、凝縮液捕集器は、空気流出槽に取り付けられ、特に溶接され、ロウ付けされ、接着され、ねじ止めされ、またはクリップ留めされている。ロック接続もまた考えられる。この非網羅的なリストは、空気流出槽に凝縮液捕集器を固定するために利用可能な広範囲の選択肢が存在することを認識することを許容し、当該選択肢は取り外し可能な接続であってもよいし取り外し不能な接続であってもよい。さらに、特にねじ止めまたはクリップ留めの場合、凝縮液捕集器が空気流出槽からシンプルに取り外され得、例えば空気流出槽における凝縮液の排出がきれいにされ得るため、増大するメンテナンスおよび修理が容易に可能となる。同様に、凝縮液捕集器は空気流入槽に取り付けられ得、特に溶接され、ロウ付けされ、接着され、ねじ止めされ、クリップ留めされ、またはロック接続を介して取り付けられる。ここで、空気流出槽はノズルとして構成されていてもよく、および／または、空気流入槽はディフューザとして構成されていてもよい。ここで、凝縮液捕集器は、鋳造部品として、もしくは金属鋳造部品、特にアルミ鋳造部品として、またはプラスチック射出成形部品として構成されていてもよい。
【００１３】
これに代えて、凝縮液捕集器が空気流出槽または空気流入槽に一体化されて、空気流出槽または空気流入槽の一体的な構成部分を形成していることがまた考えられることは言うまでもない。これは、特に、空気流出槽またはインタークーラの下の二重床の態様で実行され得る。ここで、凝縮液捕集器の大きさは、主に予想される凝縮液の量によって決まる。凝縮液捕集器の空気流出槽または空気流入槽への一体化の結果として、空気流出槽または空気流入槽への凝縮液捕集器の取り付けが完全に省略され得、そのため、これらの取り付けコストがなくなり、インタークーラ全体がより安価に製造され得る。
【００１４】
本発明に係る解決策のある代替的な実施形態では、空気流入槽および／または空気流出槽と一体的に形成されたクリップ要素が当該空気流入槽および／または当該空気流出槽に配置されており、当該クリップ要素を介して少なくとも１つの凝縮液捕集器が空気流入槽または空気流出槽に固定される。空気流入槽または空気流出槽がプラスチック射出成形部品として構成されている場合、特に、当該クリップ要素は、変更されたプラスチック射出成形金型によって構造的にシンプルかつ安価な態様で製造され得る。このタイプのクリップ要素は、第一にシンプルな取り付けを可能とし、第二に各凝縮液捕集器の空気流入槽および／または空気流出槽への取り外し可能な取り付けを可能とする。ある種のレールを空気流入槽または空気流出槽に類似の態様で設けてもよいことは言うまでもなく、当該レール内には凝縮液捕集器が押し込まれ得、当該レールによって凝縮液捕集器はインタークーラの作動中、確実に保持され得る。ここで、本発明に係るインタークーラにおいて、ただ１つの凝縮液捕集器が空気流入槽または空気流出槽に設けられていること、または、各場合において空気流入槽および空気流出槽の両方に凝縮液捕集器が１つずつ設けられていることが考えられることは言うまでもない。空気流入槽においては、凝縮液捕集器またはその乾燥剤は給気流れに含まれる水蒸気を吸収するのに役立ち、その結果として、凝縮液、すなわち液体状の水の分離は次に続く熱交換器ブロックにおいてもはや起こらない。凝縮液捕集器が空気流出槽の領域における熱交換器ブロックの下流側に設けられている場合、給気流れに含まれる水蒸気の凝縮が熱交換器ブロックの領域において起こり得ることは言うまでもなく、その結果、この場合には凝縮液捕集器において凝縮液が実質的に分離される。また、純粋に理論的に、それぞれより小さな凝縮液捕集器が例えば空気流入槽および空気流出槽の両方に設けられていることが考えられ、当該凝縮液捕集器は、各場合において片側にのみ設けられた１つの大きな凝縮液捕集器よりも低い流れ抵抗を有し、その結果としてインタークーラ内の流れ抵抗が低減され得る。
【００１５】
本発明に係る解決策のある有利な展開では、乾燥剤が、モレキュラーシーブ、および／または、ベントナイトおよび／またはシリカゲルを含む粒状体を有している。大きさの異なる分子に対する高い吸着容量を有する天然および人工のゼオライトまたは他の物質が、通常、モレキュラーシーブであると理解されている。モレキュラーシーブの適当な選択の結果として、大きさの異なる分子を分離することがここで可能となる。シリカゲルまたはベントナイトがまた同様の方法で用いられ得ることは言うまでもなく、シリカゲルまたはベントナイトでは、水蒸気または凝縮液が集まって凝縮する。例えば、シリカゲルは均質な密度のゲル状、ゴム状の非晶質二酸化ケイ素であって、大きな内表面積を有しており、そのことがシリカゲルを吸湿性に富んだものにしている。次に、ベントナイトは、同様に顕著な吸水能力を有する異なる粘土鉱物の混合物である。モレキュラーシーブと、シリカゲルもしくはベントナイトまたは一般のシリカゲルとの両方とも、可能な乾燥によって再生を行う。
【００１６】
さらに、本発明は、このタイプの上述したインタークーラを内燃エンジンに装着するという一般的概念に基づいている。この方法で装着されかつ例えば自動車に設けられ得る内燃エンジンは、特にインタークーラの領域において、機能信頼性および故障が無いという優れた利点を有している。従来技術からこれまでに知られていて、各インタークーラに関して生じ得る全ての問題が、本発明に係るインタークーラによって回避され得るためである。
【００１７】
本発明の別の重要な特徴および利点は、従属請求項から、図面から、および図面を参照した図の説明から明らかになるだろう。
【図面の簡単な説明】
【００１８】
【図１】図１は、第１の実施形態の凝縮液捕集器を備えた、本発明に係るインタークーラの縦断面図である。
【図２】図２は、第２の実施形態の凝縮液捕集器を備えた、本発明に係るインタークーラの縦断面図である。
【図３】図３は、取り付けられた凝縮液捕集器を備えたインタークーラの断面図である。
【発明を実施するための形態】
【００１９】
以下、本発明の好ましい代表的な実施形態について図面を参照しつつ詳細に説明する。同一の参照符号は、同一のもしくは類似のまたは機能的に同一な構成要素を示している。
【００２０】
図１〜図３に示すように、単に示された内燃エンジン２の本発明に係るインタークーラ１は、熱交換器ブロック３と、流れ方向４における上流側に配置された空気流入槽５と、流れ方向４において熱交換器ブロック３の下流側に配置された空気流出槽６とを備えている。ここで、図１および図２では、インタークーラ１は熱交換器ブロック３の領域の中間部分において完全には示されておらず、一方、図３では、インタークーラ１は熱交換器ブロック３とその下流側に配置された空気流出槽６との領域のみが示されている。さらに、インタークーラ１は、特にインタークーラ１において分離された凝縮液８または給気流れ９から分離された水蒸気を捕集するための少なくとも１つの凝縮液捕集器７を備えている。ここで、凝縮液捕集器７が、概して液体状の水、すなわち凝縮液８を吸収すること、特に吸収して貯留して再び放出することが可能であること、および、同様に気体状の水、すなわち水蒸気を吸収して貯留して再び放出することが可能であることは明らかである。ここで、本発明に係るインタークーラ１は、熱交換器ブロック３の上流側または下流側に配置され得るタイプの少なくとも１つの凝縮液捕集器７を備えている。熱交換器ブロック３の上流側に凝縮液捕集器７を配置する場合、当該凝縮液捕集器７は給気流れ９に含まれる水蒸気を捕集し、その結果として、通常は熱交換器ブロック３において行われる凝縮液の形成を防止するかあるいは少なくとも最小限に抑える。熱交換器ブロック３の下流側に凝縮液捕集器７を配置する場合、当該凝縮液捕集器７は、特に熱交換器ブロック３において形成される液体状の水、すなわち凝縮液８を捕集し、貯留して再び放出するのに役立つ。例えば図１および図２に係るインタークーラ１において示されているように、このタイプの凝縮液捕集器７を熱交換器ブロック３の上流側および下流側の両方に設けてもよいことは言うまでもない。
【００２１】
本発明によると、凝縮液捕集器７は、例えばインタークーラ１の内部（図１および図２を参照）またはインタークーラ１に取り付けられる（図３を参照）ように、給気流れ９に接触可能なインタークーラ１の領域に設けられる。ここで、乾燥剤１０、例えばモレキュラーシーブおよび／またはベントナイトまたはシリカゲルを有する粒状体が少なくとも１つの凝縮液捕集器７に設けられている。ここで、当該乾燥剤１０は、水蒸気および／または凝縮液８を吸収し、保持して再び給気流れ９へ放出することができる。本発明に係るインタークーラ１が、例えば、低負荷および低ブースト圧で動作すると、熱交換器ブロック３において水蒸気の凝縮が生じ得る。そして当該凝縮水は、ブースト圧およびしたがって給気流れ９の温度が凝縮液捕集器７または乾燥剤１０に貯留された水分を当該空気流れ９によってそこから放出させられる程度に再び上昇するまで、熱交換器ブロック３の下流側に配置された凝縮液捕集器７によって貯留される。乾燥剤１０の再乾燥がしたがって行われる。
【００２２】
例えば図１を参照すると、凝縮液捕集器７は空気流出槽６および／または空気流入槽５の一体的な構成部分を形成している。ここで、凝縮液捕集器７は、図２に示すように、空気流れ９が当該凝縮液捕集器７を少なくとも部分的にまたは完全に流れまたは通り抜けるように、空気流入槽５または空気流出槽６と一体化されて設けられていてもよい。
【００２３】
図２を参照すると、空気流入槽５および空気流出槽６と一体的に形成されたクリップ要素１１が当該空気流入槽５および当該空気流出槽６に設けられており、当該クリップ要素１１により少なくとも１つの凝縮液捕集器７（この例では、両方の凝縮液捕集器７）が空気流入槽５および／または空気流出槽６に固定される。さらに、空気流入槽５は通常、ディフューザとして構成され、空気流出槽６は通常、ノズルとして構成される。
【００２４】
ここで、全ての実施形態に共通する特徴が、熱交換器ブロック３の上流側または下流側に配置された少なくとも１つの凝縮液捕集器７が設けられていること、およびそれぞれの配置において、当該凝縮液捕集器７が水蒸気を吸収し、貯留して放出するように（熱交換器ブロック３の上流側に配置されている場合）、または凝縮液を吸収し、貯留して放出するように（熱交換器ブロック３の下流側に配置されている場合）構成されていることであることは言うまでもない。凝縮液捕集器７が熱交換器ブロック３の両側に配置されてもよいことは言うまでもない。図３における本発明に係るインタークーラ１の実施形態について考慮すると、凝縮液捕集器７が、特に溶接、ロウ付け、接着、ねじ止め、またはクリップ留めによって空気流出槽６に取り付けられている。図示はしないが、同様に、このタイプの凝縮液捕集器７が空気流入槽５に取り付けられていてもよい。このタイプの取り付けにより、凝縮液捕集器７内の乾燥剤１０が給気流れ９によって吹きさらされ、かつそれ相応に高い温度で乾燥され得ることが確保されることは言うまでもない。
【００２５】
ここで、空気流出槽６および／または凝縮液捕集器７は、鋳造部品、もしくは金属鋳造部品、特にアルミ鋳造部品として、またはプラスチック射出成形部品として構成されていてもよい。
【００２６】
したがって、本発明に係るインタークーラ１によると、要求に基づいた給気または給気流れ９の乾燥を実行し、過程において、給気流れ９の温度が、乾燥剤１０の再乾燥、乾燥剤１０からの水蒸気または凝縮液８の再除去、そしてその内燃エンジン２における燃焼のための供給を許容する程度に上昇するまで、凝縮液捕集器７の乾燥剤１０に水蒸気または凝縮液８を貯留しておくことが可能である。
【００２７】
従来技術から知られているインタークーラと比較すると、複雑な制御電子回路、追加のフラップ、放出開口、およびバイパスラインがこの目的のために設けられる必要がなく、しかしながら、その結果として本発明に係るインタークーラ１の動作がより信頼性が高くかつ動作上安全なものとなり得るのみでなく、当該インタークーラ１全体がより安価に製造され得る。
【００２８】
乾燥剤１０が凝縮液８を吸収するかあるいは凝縮液８で飽和した場合、当該乾燥剤１０は再生されなければならない。乾燥剤１０を再生させあるいは加熱するために、さまざまな選択肢が概して考えられる。その選択肢としては、（１）電気エネルギーによって加熱すること、すなわち、一例として図２に破線で示すように、乾燥剤１０を電気加熱装置１２、特に加熱コイル等によって単純に加熱して再生させることが考えられる。また、他の選択肢として、（２）暖かい冷却水で加熱すること、すなわち、代替例として、乾燥剤１０をエンジン冷却回路から取り出した冷媒で加熱することが考えられる。この目的のために、乾燥剤１０は、高温の冷媒が流通する冷媒ダクト１３（図１を参照）によって貫通されていてもよい。さらに別の選択肢として、（３）給気で加熱すること、すなわち、小さなバイパス管１４を介して凝縮液捕集器７に給気を案内し、暖かい給気を乾燥剤１０に吹き込ませるかまたは当該乾燥剤１０を通るように暖かい給気を案内すること（図３を参照）が考えられる。
【００２９】
動作点によっては、給気または給気流れ９のエネルギーは、高い給気温度において凝縮液８を蒸発させるために十分であり得る。
【００３０】
乾燥剤１０は、したがって、電気加熱装置１２、特に加熱コイルが乾燥剤１０を加熱する、および／または、乾燥剤１０を再生させるための高温の冷媒が当該乾燥剤１０を通って延びる少なくとも１つの冷媒ダクト１３を通って案内される、および／または、暖かい給気がバイパス管１４を通って凝縮液捕集器７に案内され、当該凝縮液捕集器７を通って乾燥剤１０に吹き込まれる、という事実により乾燥されて再生され得る。
【００３１】
ここで、個々の乾燥プロセスが、代替的にまたは累積的に使用されてもよいこと、および特に、内燃エンジン２の各負荷状態に基づいた態様で使用されてもよいことは言うまでもない。
【符号の説明】
【００３２】
１    インタークーラ
２    内燃エンジン
３    熱交換器ブロック
４    流れ方向
５    空気流入槽
６    空気流出槽
７    凝縮液捕集器
８    凝縮液
９    給気流れ
１０    乾燥剤
１１    クリップ要素
１２    電気加熱装置
１３    冷媒ダクト
１４    バイパス管
【図１】
2016217356.tif 000003
【図２】
2016217356.tif 000004
【図３】
2016217356.tif 000005